(57)【要約】  金属背（２）と、ホットメルト接着剤の形態の製本接着剤（１２）とを備え、それによって、背（２）の内面（６）に、紙、プラスチック、金属箔などの表紙ストリップ（７）が提供され、表紙ストリップ（７）が、背（２）の内面（６）の方へ向けられた面に、製本接着剤（１２）の溶融温度よりも高い溶融温度を有するホットメルト接着剤の形態の組立て接着剤（８）を備え、組立て接着剤（８）によって、表紙ストリップ（７）が、金属背（２）の内面（６）に接合されて、それぞれのアーム（４）上に自由リップ（９）を形成し、それによって、リップ（９）が、金属背（２）からアーム（４）を超えて外側に向かって突出する製本要素。
2016537217.tif 000002
【特許請求の範囲】
【請求項１】
表紙（１９）の付いた製本フォルダ（１６）にリーフ（２１）を綴じ込むための製本要素であって、それによって、この製本要素（１）が、金属背（２）と、ホットメルト接着剤の形態の製本接着剤（１２）とを本質的に備え、それによって、前記金属背（２）が、ベース（３）と直立したアーム（４）とを有するＵ字形の異形材として本質的に形成された製本要素において、前記金属背（２）の内面（６）が、少なくとも前記アーム（４）の位置に、紙、プラスチック、金属箔などの少なくとも１つの表紙ストリップ（７）を備え、前記少なくとも１つの表紙ストリップ（７）が、前記金属背（２）の内面（６）の方へ向けられた面に、前記製本接着剤（１２）の溶融温度よりも高い溶融温度を有するホットメルト接着剤の形態の組立て接着剤（８）を備え、前記組立て接着剤（８）によって、前記表紙ストリップ（７）が、前記金属背（２）の内面（６）の部分に接合されて、それぞれのアーム（４）上に自由リップ（９）を形成し、それによって、前記リップ（９）が、前記金属背（２）から前記アーム（４）を超えて外側に向かって突出し、前記リップ（９）の外面（１０）に、組立て接着剤（８）を備えることを特徴とする製本要素。
【請求項２】
前記リップ（９）が、前記金属背（２）の前記ベース（３）をまたいで一方のアーム（４）からもう一方のアーム（４）まで延びる表紙ストリップ（７）によって形成されていることを特徴とする、請求項１に記載の製本要素。
【請求項３】
前記金属背（２）の内面（６）の全体または実質的に全体にわたって広がる表紙ストリップ（７）が１つだけあることを特徴とする、請求項１または２に記載の製本要素。
【請求項４】
前記製本接着剤（１２）が、少なくとも前記金属背（２）の前記ベース（３）の位置に塗布されていることを特徴とする、請求項１から３のいずれか一項に記載の製本要素。
【請求項５】
前記製本接着剤（１２）が、前記表紙ストリップ（７）の内面（１１）に塗布されていることを特徴とする、請求項３または４に記載の製本要素。
【請求項６】
前記金属背（２）が、前記アーム（４）の自由縁（５）を互いの方へ折り曲げることができるように構築されていることを特徴とする、請求項１から５のいずれか一項に記載の製本要素。
【請求項７】
前記製本接着剤（１２）の溶融温度が８０℃から９０℃の間にあることを特徴とする、請求項１から６のいずれか一項に記載の製本要素。
【請求項８】
前記組立て接着剤（８）の溶融温度が１２０℃から１４０℃の間にあることを特徴とする、請求項１から７のいずれか一項に記載の製本要素。
【請求項９】
表紙の付いた製本フォルダにおいて、前記製本フォルダ（１６）が、厚紙などの表紙（１９）と、前記製本フォルダ（１６）の背を形成するための請求項１から８のいずれか一項に記載の製本要素（１）とを備え、それによって、前記表紙（１９）が、前記製本要素（１）の前記金属背（２）の外側表面（１８）をまたいで延び、少なくとも前記製本要素（１）の前記自由リップ（９）上の前記組立て接着剤（８）によって、前記製本要素（１）に固定されていることを特徴とする製本フォルダ。
【請求項１０】
前記製本フォルダ（１６）が、前記金属背（２）の外側表面（１８）の全体または実質的に全体にわたって、前記金属背（２）に接合されていることを特徴とする、請求項９に記載の製本フォルダ。
【請求項１１】
前記表紙（１９）が、約２００から２５０グラム／ｍ２の厚紙から形成されていることを特徴とする、請求項９または１０に記載の製本フォルダ。
【請求項１２】
請求項９から１１のいずれか一項に記載の製本フォルダを形成する方法において、請求項１から９のいずれか一項に記載の製本要素（１）と、前記表紙（１９）を形成するための厚紙などのシート（１７）とから開始し、それによって、前記厚紙のシート（１７）を、前記製本要素（１）の組立て接着剤（８）を有する前記リップ（９）に当たるまで、前記製本要素（１）の外側表面（１８）を覆い、前記製本要素（１）の外側表面（１８）に接するように折り曲げ、その後、これらのリップ（９）上の前記組立て接着剤（８）を熱して、前記組立て接着剤（８）を局所的に溶融し、次いで前記組立て接着剤（８）が固まるのに任せて、前記製本要素（１）と前記表紙（１９）とを接合させることを特徴とする方法。
【請求項１３】
前記リップ（９）の位置のところが前記組立て接着剤（８）の溶融温度以上の温度に熱せられたスラット（１３）を覆うように、前記金属背（２）を、転倒位置に、すなわちアーム（４）を下に向けて取り付け、その後、前記表紙（１９）を形成する前記厚紙のシート（１７）を、前記製本要素（１）上に置き、前記製本要素（１）の前記金属背（２）の外側表面（１８）を巻くように下向きに、溶融した前記組立て接着剤（８）に当たるまで折り曲げることを特徴とする、請求項１２に記載の方法。
【請求項１４】
断熱性材料のスラット（１３）が使用されること、および、前記スラット（１３）では、前記製本要素（１）の前記リップ（９）との接触ゾーンの位置にだけ加熱（１４）が提供されることを特徴とする、請求項１３に記載の方法。
【請求項１５】
前記リップ（９）を前記スラット（１３）に押し付けることができるように、押圧要素が、前記スラット（１３）の両側の前記リップ（９）の高さに提供されることを特徴とする、請求項１４に記載の方法。
【発明の詳細な説明】
【技術分野】
【０００１】
本発明は、表紙（ｃｏｖｅｒ）の付いた製本フォルダ（ｂｉｎｄｉｎｇ  ｆｏｌｄｅｒ）にリーフ（ｌｅａｆ）を綴じ込むための製本要素（ｂｉｎｄｉｎｇ  ｅｌｅｍｅｎｔ）に関する。
【背景技術】
【０００２】
厚紙（ｃａｒｄｂｏａｒｄ）の熱製本（ｔｈｅｒｍａｌ  ｂｉｎｄｉｎｇ）フォルダにリーフを綴じ込むことは既に知られている。それによって、製本フォルダの背（ｓｐｉｎｅ）の中にホットメルト接着剤（ｈｏｔｍｅｌｔ  ａｄｈｅｓｉｖｅ）を置き、製本中に、背を熱することによってこのホットメルト接着剤を溶融させて、溶融した接着剤にリーフを押し込むことができるようにする。接着剤が冷えて固まった後に、これらのリーフは製本フォルダの中に接合されている。
【０００３】
このような熱製本フォルダの欠点は、背の開きが、綴じ込む［束（ｂｕｎｄｌｅ）］の厚さよりもわずかに広いだけであることがある点である。これは、そうしないと、束と背のアーム（ａｒｍ）の間の目障りな厚い隙間が開いたままになるためであり、このことは、威光を放たなければならない製本フォルダについては容認できない。
【０００４】
このことは、この欠点を回避し、さまざまな厚さの束を綴じなければならない場合には、一般に２ミリメートルずつ増大する背幅が異なる多数の製本フォルダを在庫として持っていなければならないことを意味する。
【０００５】
これも知られていることだが、ホットメルト接着剤を背の内面に有するＵ字形の金属の背（以後、金属背）が使用され、それによって、この背が、製本フォルダの中に予め取り付けられている。
【０００６】
しかしながら、このような金属背の欠点は、綴じ込む束を製本フォルダに導入するときに、最も外側のリーフが、それらのリーフの縁に沿って、より中央に近いリーフよりもいくらか多く束の外へ突出するような態様で、その束の外側のリーフが金属背のアームの自由縁（ｆｒｅｅ  ｅｄｇｅ）に引っ掛かる点であり、このことも、リーフが綴じ込まれた製本フォルダの外観を悪くする。
【０００７】
このような金属背の他の欠点は、金属の鋭利な縁及び角（かど）によって怪我をする危険性がある点である。
【０００８】
金属背を有するこのような厚紙の製本フォルダを製作するために、平らな厚紙シートの中央に接合された平らな背が使用されることがあり、この背は、その後に、背に接合された厚紙と一緒にＵ字に折り曲げられるが、厚紙に弾力性がなく、背を取り巻く折り目のために背の外面の厚紙をより長くすることができなければならないときには、折り目の位置で厚紙が局所的に裂けることがある。
【発明の概要】
【発明が解決しようとする課題】
【０００９】
本発明の目的は、上記の欠点及びその他の欠点のうちの１つまたは複数の欠点を解決する手段を提供することにある。
【課題を解決するための手段】
【００１０】
このために、本発明は、表紙の付いた製本フォルダにリーフを綴じ込むための製本要素であって、それによって、この製本要素が、金属背と、ホットメルト接着剤の形態の製本接着剤（ｂｉｎｄｉｎｇ  ａｄｈｅｓｉｖｅ）とを本質的に備え、それによって、金属背が、ベースと直立したアームとを有するＵ字形の異形材（ｐｒｏｆｉｌｅ）として本質的に形成された製本要素に関し、この製本要素は、金属背の内面が、少なくともアームの位置に、紙、プラスチック、金属箔などの少なくとも１つの表紙ストリップ（ｃｏｖｅｒ  ｓｔｒｉｐ）を備え、この少なくとも１つの表紙ストリップが、背の方へ向けられた面に、製本接着剤の溶融温度よりも高い溶融温度を有するホットメルト接着剤の形態の組立て接着剤（ａｓｓｅｍｂｌｙ  ａｄｈｅｓｉｖｅ）を備え、組立て接着剤によって、表紙ストリップが、金属背の内面の部分に接合されて、それぞれのアーム上に自由リップ（ｆｒｅｅ  ｌｉｐ）を形成し、それによって、リップが、金属背からアームを超えて外側に向かって突出し、リップの外面に、組立て接着剤を備えることを特徴とする。
【００１１】
このような製本要素の利点は、この製本要素が、プロが仕上げたような外観を有する製本フォルダを同様の方法で製作することを可能にする半製品（ｓｅｍｉ−ｆｉｎｉｓｈｅｄ  ｐｒｏｄｕｃｔ）である点である。
【００１２】
表紙と製本要素とを接合させるためには、製本要素の上に厚紙などのシートを取り付け、そのシートを、リップに接触するまで金属背の外面を覆うように折り曲げ、次いで、リップを熱して、リップ上の組立て接着剤を溶融させ、次いで接着剤が冷えるのに任せるだけでよい。
【００１３】
このようにすると、応力を生じさせることなく、表紙を、金属背を巻くように折り曲げることができ、このことは、折り目の位置で表紙が破れることを防ぐ。
【００１４】
また、このようにすると、金属背のアームの縦の自由縁が表紙ストリップによって覆われ、このことは、綴じ込むリーフの束を製本フォルダに導入するときに、最も外側のリーフがこれらの金属縁に引っ掛かることを防ぐ。
【００１５】
さらに、金属背で怪我をする危険性が除かれる。
【００１６】
金属背は、背のアームを互いの方へ折り曲げることができるように構築されていることが好ましい。
【００１７】
このことは、何種類かの厚さのリーフの束を、より薄い束を使用するときと同じサイズの背で綴じ込むことができること、及び束の最も外側のリーフに当たるまでアームを互いの方へ押して、開いた隙間が使用者から見えないようにすることによって、束の厚さと金属背の幅の間の差に容易に対応することができることという利点を提供する。
【００１８】
このようにすると、保持しなければならない在庫がより少なくて済むような態様で、本発明に基づく製本要素の単一の１つの背幅が、従来の熱製本フォルダの例えば５つの背幅に取って代わることができる。
【００１９】
本発明はさらに、表紙の付いた製本フォルダであって、それによって、製本フォルダが、厚紙などの表紙と、製本フォルダの背を形成するための本発明に基づく製本要素とを備え、それによって、表紙が、製本要素の金属背の外面をまたいで延び、少なくとも製本要素の自由リップ上の組立て接着剤によって、製本要素に固定されている製本フォルダに関する。
【００２０】
本発明はさらに、このような製本フォルダを形成する方法であって、本発明に基づく製本要素と、表紙を形成するための厚紙などのシートとから開始し、それによって、表紙を、製本要素の組立て接着剤を有するリップに当たるまで、製本要素の外側表面を覆い、製本要素の外側表面に接するように折り曲げ、その後、これらのリップ上の組立て接着剤を熱して、組立て接着剤を局所的に溶融し、次いで組立て接着剤が冷えるのに任せて、製本要素と表紙とを接合させる方法に関する。
【００２１】
実際的な方法は、リップの位置のところが組立て接着剤の溶融温度以上の温度に熱せられたスラット（ｓｌａｔ）を覆うように、金属背を、転倒位置（ｒｅｖｅｒｓｅ  ｐｏｓｉｔｉｏｎ）に、すなわちアームを下に向けて取り付け、その後、表紙を形成する厚紙シートを、製本要素上に置き、製本要素の金属背の外側表面を巻くように下向きに、溶融した組立て接着剤に当たるまで折り曲げることからなる。
【００２２】
本発明の特徴をより完全に示すことを意図して、以下では、表紙の付いた製本フォルダにリーフを綴じ込むための本発明に基づく製本要素及び該製本要素とともに使用される方法の好ましいいくつかの実施形態を、添付図面を参照して、非限定的な例として説明する。
【図面の簡単な説明】
【００２３】
【図１】本発明に基づく製本要素を概略的に示す透視図である。
【図２】図１の線ＩＩ−ＩＩによる断面を示す図である。
【図３】表紙の付いた製本フォルダを製作するための図１の製本要素の使用を示す図である。
【図４】リーフの束を綴じ込むための図３の製本フォルダの使用を示す図である。
【図５】リーフの束を綴じ込むための図３の製本フォルダの使用を示す図である。
【図６】図１の製本要素の異なる実施形態を示す図である。
【図７】図１の製本要素を製作する方法を示す図である。
【図８】図６の製本要素を製作する方法を示す図である。
【発明を実施するための形態】
【００２４】
図１及び２に示された本発明に基づく製本要素１は、ベース３と直立した２つのアーム４とを有するＵ字形の異形材として本質的に形成された金属背２を備える。
【００２５】
金属背２は、アーム４の縦の自由縁５を互いの方へ折り曲げることができるように構築されている。
【００２６】
金属背２の内面６には、紙、プラスチック、金属箔などの表紙ストリップ７が提供されており、表紙ストリップ７は、背２の方へ向けられた面に、例えば１２０℃から１４０℃の間の溶融温度、好ましくは約１３０℃の溶融温度を有するホットメルト接着剤の形態の組立て接着剤８の層を備える。
【００２７】
表紙ストリップ７は、組立て接着剤８によって、金属背２の内面６に、言い換えると背２の中央の方へ向けられた面６に接合されており、この接合は、金属背２から、関係するアーム４の自由縁９を超えて突出する、紙、プラスチックなどの自由リップ９がそれぞれのアーム４上に形成されるような方式で実施される。
【００２８】
紙、プラスチックなどのこれらのリップ９は、それらのリップ９の外面１０に、組立て接着剤８を備える。
【００２９】
この場合、リップ９は、金属背２のベース３をまたいで一方のアーム４からもう一方のアーム４まで延びる表紙ストリップ７によって形成され、それによって、この表紙ストリップ７は、金属背２の内面６の全体または実質的に全体にわたって広がる。
【００３０】
表紙ストリップ７の内面１１の金属背２のベース３の位置に、ベース３の幅にわたって、製本接着剤１２の層が塗布されており、それによって、製本接着剤１２は、溶融温度が組立て接着剤８の溶融温度よりも低くなるように選択された、例えば約８０℃から９０℃の溶融温度を有するホットメルト接着剤である。
【００３１】
金属背２、表紙ストリップ７及び組立て接着剤８の層の厚さは一定の尺度では描かれていない。これは、図面を分かりやすくするためである。実際には、組立て接着剤８の厚さは非常に薄く、例えば１／１０ミリメートルの桁である。
【００３２】
図３は、フォルダを形成するための本発明に基づく製本要素１の使用を示し、それによって、この場合には、スラット１３が使用され、スラット１３を覆うように、製本要素１が、アーム４を下に向けた転倒した状態で取り付けられる。
【００３３】
このスラット１３は、例えば断熱性材料から製作され、１つまたは複数の抵抗体１４または他の加熱要素を備え、この１つまたは複数の抵抗体１４または他の加熱要素は、アーム４の自由縁５よりも低いリップ９の高さに当たる、頂縁１５から距離Ａのところにある。
【００３４】
これらの加熱要素１４は、リップ９の位置の組立て接着剤８を、少なくとも組立て接着剤８の溶融温度に等しい温度まで熱することができることが意図されている。
【００３５】
スラット１３は、その底部に、リップ９を外側へ押してリップ９を互いからいくらか引き離す厚い部分（ｔｈｉｃｋｅｎｉｎｇ）を備える。
【００３６】
製本フォルダ１６を形成するために、約２００から２５０グラム／ｍ２の厚紙のシート１７を、図３に示されているように製本要素の外側表面１８を巻くように折り曲げて、フォルダ１６の表紙１９を形成し、それによって、この厚紙を、少しの間、組立て接着剤８を溶融させたリップ９と接触させる。
【００３７】
接触をより良好にするため、リップ９をスラット１３に押し付けることができるように、任意選択で、図面には示されていない押圧要素を、スラット１３の両側のリップ９の高さに提供することができる。
【００３８】
リップ９上の組立て接着剤８が冷えた後、図４から分かるように、製本要素１がその中に接合された表紙１９を有する製本フォルダ１６が得られる。
【００３９】
このような製本フォルダ１６は他の方法でも製作することができ、それによって、例えば、製本要素のリップを局所的に熱するのにスラット１３が必要ないことは明らかである。
【００４０】
さらに、表紙１９の厚紙のシート１７は、例えばコンタクト接着剤（ｃｏｎｔａｃｔ  ａｄｈｅｓｉｖｅ）などによって、金属背２の外側表面１８の全体または実質的に全体にわたって、金属背２に接合することができる。
【００４１】
リーフ２１の束２０を製本フォルダ１６に綴じ込むために、綴じ込む束２０の底縁２２を、図４の矢印Ｂによって示されているように製本要素１に挿入する。
【００４２】
アーム４の自由縁５は表紙ストリップ７のリップ９によって覆われており、これらのリップ９が、リーフ２１を挿入するための言わばガイドを形成するため、アーム４の自由縁５によって束２０の挿入が妨げられないことは明らかである。
【００４３】
束２０を綴じ込むために、束２０の底縁が製本接着剤１２上に載るまで、束２０を製本フォルダに導入する。
【００４４】
製本接着剤１２の溶融温度に少なくとも等しいが、組立て接着剤８の溶融温度よりも低い温度まで製本接着剤１２を熱することができる加熱要素２３上に、製本フォルダ１６の背を、知られている方式で置く。
【００４５】
このようにすると、組立て接着剤８は溶融することができないが、製本接着剤１２は溶融し、綴じ込む束２０の縁２２が製本接着剤１２の中に入り込む。
【００４６】
同時に、必要な場合には、アーム４の頂部の自由縁５を、矢印Ｃによって示されているように、束２０の最も外側のリーフ２１に当たるまで互いに向かって押す。これは、束２０とアーム４の縁５の間の隙間を閉じるためである。
【００４７】
製本接着剤１２が冷却した後、リーフ２１は、製本フォルダ１６にしっかりと綴じ込まれている。
【００４８】
図６は、本発明に基づく製本要素１の代替実施形態を示し、この場合には、表紙ストリップが金属背のベース３をまたいで延びていない点、及び組立て接着剤８によってアーム４の内面６に固定された２つの表紙ストリップ７がある点が、図１及び２の製本要素１とは異なる。
【００４９】
この場合には、製本接着剤が、金属背２のベースに直接に塗布されている。
【００５０】
図７に基づいて、図１及び２に示された本発明に基づく製本要素の形成を説明することができる。
【００５１】
最初に、適当な寸法の平らな表紙ストリップ７の一方の面に、ホットメルト接着剤の形態の組立て接着剤８の層を提供し、次いで、平らな金属背２を、組立て接着剤８の層に接するように置き、製本接着剤１２の小さな層を、平らな表紙ストリップ７の中央に提供する。
【００５２】
次いで、形成された平らな要素を、例えばスタンプ２４とダイ２５などによって、スタンプ２４で矢印Ｄの方向にダイ２５に押し込むことによって変形させて、図１及び２に示されているようなＵ字形の製本要素１にする。
【００５３】
図８は、図６の製本要素などの製本要素を形成する、図７と同様の方式の方法の概要を示す。
【００５４】
本発明は、例として記載され図面に示された実施形態だけに限定されない。表紙の付いた製本フォルダにリーフを綴じ込むための本発明に基づく製本要素及び該製本要素とともに使用される方法は、本発明の範囲を逸脱しないあらゆる種類の変形実施形態によって実現することができる。
【図１】
2016537217.tif 000003
【図２】
2016537217.tif 000004
【図３】
2016537217.tif 000005
【図４】
2016537217.tif 000006
【図５】
2016537217.tif 000007
【図６】
2016537217.tif 000008
【図７】
2016537217.tif 000009
【図８】
2016537217.tif 000010
【国際調査報告】
2016537217.tif 000011
2016537217.tif 000012
2016537217.tif 000013